(57)【要約】【課題】作業者の熟練度合いが低くても簡単に製造することができる釣竿用竿体とそれを用いた釣竿を提供する。【解決手段】主部７６と補完部７７とから筒状に形成された層７５により本体層７８が構成されている。主部７６は、急拡径部を含む所定長さ領域に対応した長さを有するメインプリプレグ７０により形成されている。小径部においては周方向全周に亘ってメインプリプレグ７０が巻回されてその幅方向両端部同士が重ね合わせられており、大径部においては周方向全周のうち一部が巻回不足部として残るようにしてメインプリプレグ７０が巻回されてその幅方向両端部同士が周方向に離間した状態となっている。補完部７７は、巻回不足部に対応した所定形状のサブプリプレグ７１により巻回不足部を補完するように形成されている。【選択図】図５
2014124108.tif 000002
【特許請求の範囲】
【請求項１】
プリプレグから筒状に形成された本体層を備え、該本体層は前後の領域の勾配よりも急勾配で後側に向けて内外径共に拡径する急拡径部を備えている釣竿用竿体であって、
本体層の全長のうち少なくとも急拡径部を含む所定長さ領域は、主部と補完部とから筒状に形成された層により構成され、
主部は、前記所定長さ領域に対応した長さを有するメインプリプレグにより形成されて、急拡径部よりも前側の小径部においては、周方向全周に亘ってメインプリプレグが巻回されてその幅方向両端部同士が重ね合わせられており、急拡径部よりも後側の大径部においては、周方向全周のうち一部が巻回不足部として残るようにしてメインプリプレグが巻回されてその幅方向両端部同士が周方向に離間した状態となっており、
補完部は、前記巻回不足部に対応した所定形状のサブプリプレグにより前記巻回不足部を補完するように形成されていることを特徴とする釣竿用竿体。
【請求項２】
補完部は、サブプリプレグがメインプリプレグの外側に位置するようにして形成されている請求項１記載の釣竿用竿体。
【請求項３】
主部と補完部とから筒状に形成された層が、位相を周方向にずらしながら複数層積層されている請求項１又は２記載の釣竿用竿体。
【請求項４】
主部と補完部とから筒状に形成された層が、周方向に１２０度ずつ位相をずらして三層積層されている請求項３記載の釣竿用竿体。
【請求項５】
主部と補完部とから筒状に形成された層が、周方向に１８０度位相をずらして二層積層されている請求項３記載の釣竿用竿体。
【請求項６】
メインプリプレグは竿軸方向に長い長方形であり、サブプリプレグは前側を頂部とする二等辺三角形である請求項１乃至５の何れかに記載の釣竿用竿体。
【請求項７】
メインプリプレグ及びサブプリプレグは、何れも、強化繊維が竿軸方向に沿った縦シートと強化繊維が周方向に沿った横シートとが積層されたプリプレグからなる請求項１乃至６の何れかに記載の釣竿用竿体。
【請求項８】
請求項１乃至７の何れかに記載の釣竿用竿体を備えた釣竿。
【発明の詳細な説明】
【技術分野】
【０００１】
本発明は、釣竿用竿体とそれを備えた釣竿に関する。
【背景技術】
【０００２】
例えば、竿元部にグリップ部を備える場合、コルクや発泡樹脂から筒状のグリップ部を形成し、それをプリプレグから筒状に形成された竿体の後部外周面に装着して構成することが多い。しかしながら、グリップ部を竿体とは別体構成とする場合には軽量化が困難となる。
【０００３】
これに対して、下記特許文献１のように、竿体の後部を急勾配で拡径させてグリップ部を一体的に形成する構成がある。この場合、竿体の形状に合わせたマンドレルにプリプレグを巻回することによって、大径のグリップ部を含めて一体的に竿体を形成することができるため、軽量化には有利である。しかしながら、プリプレグをマンドレルに巻回する際に、急勾配で拡径するテーパ部等においてプリプレグにシワが生じやすいという問題があり、このシワを発生させないようにしながらプリプレグを巻回することは困難な作業となり、作業者に高い熟練度が要求された。
【先行技術文献】
【特許文献】
【０００４】
【特許文献１】実開昭５９−１８２１７３号公報
【発明の概要】
【発明が解決しようとする課題】
【０００５】
それゆえに本発明は上記従来の問題点に鑑みてなされ、作業者の熟練度が低くても簡単に製造することができる釣竿用竿体とそれを用いた釣竿を提供することを課題とする。
【課題を解決するための手段】
【０００６】
本発明は上記課題を解決すべくなされたものであって、本発明に係る釣竿用竿体は、プリプレグから筒状に形成された本体層を備え、該本体層は前後の領域の勾配よりも急勾配で後側に向けて内外径共に拡径する急拡径部を備えている釣竿用竿体であって、本体層の全長のうち少なくとも急拡径部を含む所定長さ領域は、主部と補完部とから筒状に形成された層により構成され、主部は、前記所定長さ領域に対応した長さを有するメインプリプレグにより形成されて、急拡径部よりも前側の小径部においては、周方向全周に亘ってメインプリプレグが巻回されてその幅方向両端部同士が重ね合わせられており、急拡径部よりも後側の大径部においては、周方向全周のうち一部が巻回不足部として残るようにしてメインプリプレグが巻回されてその幅方向両端部同士が周方向に離間した状態となっており、補完部は、前記巻回不足部に対応した所定形状のサブプリプレグにより前記巻回不足部を補完するように形成されていることを特徴とする。尚、竿先側を前側とし、竿尻側を後側とする。また、小径部の勾配や大径部の勾配は０であってもよい、即ち、ストレート形状であってもよい。
【０００７】
該構成の釣竿用竿体にあっては、急拡径部を含む所定長さ領域を、一枚のプリプレグから構成するのではなく、メインプリプレグからなる主部とサブプリプレグからなる補完部とによって形成するようにしている。即ち、メインプリプレグは、小径部については周方向の全周に亘って巻回するものの、大径部については全周に亘って巻回せずに敢えて全周のうちの一部を巻き残すようにする。従って、大径部においてはメインプリプレグの幅方向両端部同士が離間した状態となり、その両端部同士の間には巻き残された巻回不足部が存在する。そして、その巻回不足部については別途のサブプリプレグで対応するようにする。このように、本体層の全長のうち少なくとも急拡径部を含む所定長さ領域を、メインプリプレグからなる主部とサブプリプレグからなる補完部とから筒状に形成した層により構成することで、急勾配で拡径する急拡径部が存在していてもプリプレグにシワが発生しにくくなる。
【０００８】
上記サブプリプレグはメインプリプレグよりも先に巻回しておいてもよいが、メインプリプレグを巻回した後にサブプリプレグを巻回するようにすると製造が容易になるため好ましい。即ち、補完部は、サブプリプレグがメインプリプレグの外側に位置するようにして形成されていることが好ましい。
【０００９】
また、主部と補完部とから筒状に形成された層が、位相を周方向にずらしながら複数層積層されていることが好ましい。主部と補完部とから筒状に形成された層は一層であってもよいが、複数層とすることが好ましく、薄いプリプレグを使用することができて、シワの発生をより一層軽減できる。そして、多層構造とする場合には、各層間の位相が周方向にずれるようにして積層することが好ましく、メインプリプレグの幅方向両端部同士の重ね合わせ部やメインプリプレグとサブプリプレグとの重ね合わせ部が内側の層と外側の層との間で周方向に位置ずれすることになり、竿体の肉厚が均一化される。
【００１０】
特に、主部と補完部とから筒状に形成された層が周方向に１２０度ずつ位相をずらして三層積層された構成や、主部と補完部とから筒状に形成された層が周方向に１８０度位相をずらして二層積層された構成とすることが好ましい。この場合には、上述したような重ね合わせ部が周方向に分散されてバランスの採れた竿体が得られる。また、四層以上にすると、重ね合わせ部が多くなるので、二層あるいは三層構造とすることが好ましい。
【００１１】
また、メインプリプレグは竿軸方向に長い長方形であり、サブプリプレグは前側を頂部とする二等辺三角形であることが好ましい。この構成では、プリプレグの裁断ロスも少なく、また、製造も容易である。
【００１２】
また、メインプリプレグ及びサブプリプレグは、何れも、強化繊維が竿軸方向に沿った縦シートと強化繊維が周方向に沿った横シートとが積層されたプリプレグからなることが好ましく、本体層の強度を容易に確保することができる。
【００１３】
また、本発明に係る釣竿は、上述したような釣竿用竿体を備えたものである。
【発明の効果】
【００１４】
以上のように、大径部については全周のうちの一部がメインプリプレグによって巻回されずに巻き残され、その巻き残された巻回不足部についてはサブプリプレグによって補完された構成であるので、急拡径部を含むその所定長さ領域を一枚のプリプレグによる巻回によって筒状に形成する構成に比してプリプレグにシワが発生しにくく、熟練度の低い作業者であっても容易に製造することができる。
【図面の簡単な説明】
【００１５】
【図１】本発明の一実施形態における釣竿の要部を示す断面図。
【図２】同実施形態の釣竿に使用されている竿体を示す断面図。
【図３】同実施形態の竿体の製造方法を示す正面図。
【図４】（ａ）乃至（ｃ）は同実施形態の竿体の製造工程を示す正面図。
【図５】同実施形態の竿体の製造工程を示す正面図。
【図６】図５のＡ−Ａ線断面図。
【図７】図５のＢ−Ｂ線断面図。
【図８】図５のＣ−Ｃ線断面図。
【図９】同実施形態の竿体の断面図であって、図５のＡ−Ａ線断面に相当する箇所の断面図。
【図１０】同実施形態の竿体に使用されるプリプレグの構成図。
【発明を実施するための形態】
【００１６】
以下、本発明の一実施形態に係る釣竿及びそれに使用されている竿体について図１〜図１０を参酌しつつ説明する。図１に示すように、本実施形態における釣竿は、リールを取り付けるためのリールシート１を備えたものである。該リールシート１は、パイプシートとも称される筒状のものであって、リールシート本体１０と、可動フード体１１と、ナット１２とを備えている。リールシート本体１０は、合成樹脂等から成形により形成されたものであって、リールの脚部１００を載置するためのリール脚載置部１３と、リールの脚部１００の一方が差し込まれる固定フード部１４とを有している。尚、本実施形態ではスピニングリールを取り付けるためのリールシート１を例に説明しており、従って、図１に示すように、リールシート本体１０のリール脚載置部１３は使用状態において下側に位置する。また、リールシート本体１０の固定フード部１４は前側に位置している。リールシート本体１０の後部には雄ねじ部１５が形成されており、該雄ねじ部１５にナット１２が螺合している。ナット１２の前側に、リールの脚部１００の他方が差し込まれる可動フード体１１が位置している。可動フード体１１はナット１２に相対回転可能に係止されているので、ナット１２を回転させることで可動フード体１１は回転することなくナット１２と共に前後に移動する。該可動フード体１１を前側に移動させる、即ち、固定フード部１４に接近させることでリールの脚部１００を前後に狭持しつつリールシート本体１０に固定することができる。また、可動フード体１１を後側に移動させる、即ち、固定フード部１４から離反させることでリールの脚部１００の固定状態が解除されて、リールを釣竿から取り外すことができる。更に、リールシート１の前側にはフロントグリップ部７が設けられている。該フロントグリップ部７は、リールシート本体１０とは別体であって、ＥＶＡ等の発泡性合成樹脂やコルク等から形成されている。
【００１７】
このようにリールシート１が装着された釣竿は、竿本体２と、該竿本体２の後側に所定長さの重ね合わせ部４を形成するようにして接着され一体化されたリアグリップ竿体３とを備えている。重ね合わせ部４においては、竿本体２の後部が内側に位置し、その外側にリアグリップ竿体３の前部が位置している。
【００１８】
竿本体２は、所定形状に裁断されたシート状のプリプレグをマンドレルに巻回して筒状に形成した本体層を備えたものであって、プリプレグの強化繊維としてはカーボン繊維やガラス繊維等が使用でき、特にカーボン繊維が好ましく、またカーボン繊維を使用する場合にはその比率を高くすることが好ましい。リアグリップ竿体３も、所定形状に裁断されたシート状のプリプレグをマンドレルに巻回して筒状に形成した本体層を備えたものであるが、その製法については後述する。
【００１９】
リアグリップ竿体３の肉厚は全長に亘って略一定であり、竿本体２の後部における肉厚と略等しい。該リアグリップ竿体３にリアグリップ部５が一体的に形成されており、該リアグリップ部５がリールシート１の後側に位置している。該リアグリップ部５は、釣竿を持っている手の肘を当てたり、両手でキャストする場合にはリールシート１を持つ手とは反対側の手で把持したりして使用される。
【００２０】
図２に示しているように、リアグリップ竿体３の後部には前部の勾配よりも大きい急勾配で拡径した急拡径部３１が形成されており、該急拡径部３１によりリアグリップ竿体３の後部にリアグリップ部５が一体的に形成されている。即ち、リアグリップ竿体３は、前側から順に、所定長さの径一定のストレート形状即ち勾配０である小径部３０と、該小径部３０から急勾配で内外径共に拡径していく急拡径部３１と、該急拡径部３１から後方に所定長さ伸びる径一定のストレート形状即ち勾配０である大径部３２とから構成されている。この急拡径部３１の主として後部領域と大径部３２とからリアグリップ部５が構成されている。尚、大径部３２の長さは、小径部３０の長さよりも短く、急拡径部３１の長さよりも短い。また、リアグリップ竿体３の小径部３０にリールシート本体１０が装着され、リアグリップ竿体３は、その小径部３０において竿本体２と重ね合わせられている。尚、リアグリップ竿体３の後端には尻栓３３が装着されている。
【００２１】
このようなリアグリップ竿体３の詳細構造をその製法と共に説明する。図３のように、マンドレル６０は、リアグリップ竿体３の形状に合わせた形状とされる。従って、マンドレル６０は、前側から順に小径部３０を形成するための第一の領域６１と、急拡径部３１を形成するための第二の領域６２と、大径部３２を形成するための第三の領域６３とを有する形状となっている。筒状の本体層を形成するためのプリプレグとしては、長方形のメインプリプレグ７０と、二等辺三角形のサブプリプレグ７１とを使用する。メインプリプレグ７０は、竿軸方向に長い長方形であって、その長さＬは、リアグリップ竿体３の全長即ち本体層の全長に対応した長さとなっている。即ち、加熱焼成後に端部をカットして所定長さのリアグリップ竿体３を形成することができるように所定の余裕を有した長さとなっている。メインプリプレグ７０の幅Ｗは、マンドレル６０の第一の領域６１を一回巻きする程度の幅となっており、従って、マンドレル６０の第三の領域６３についてはその全周分は巻回することができず全周のうちの所定角度領域は巻回されずに残る。サブプリプレグ７１は、頂角が鋭角である二等辺三角形であって、その頂部７１ａを竿先側にして使用される。サブプリプレグ７１の底辺７１ｂの長さＰはメインプリプレグ７０の幅Ｗよりも若干長く、高さＨ（竿軸方向の長さ）は、リアグリップ竿体３の急拡径部３１と大径部３２とを合わせた長さに略等しい。尚、このようなメインプリプレグ７０及びサブプリプレグ７１は、図１０に示すように強化繊維が竿軸方向に沿った縦シート８１と強化繊維が周方向に沿った横シート８２とを積層一体化させた積層シート８３から裁断されたものである。その強化繊維としては、上述した竿本体２の場合と同様であってカーボン繊維等を使用できる。
【００２２】
まず、図４（ａ）のようにマンドレル６０の中心にメインプリプレグ７０の幅方向の中心を合わせるようにセットしてメインプリプレグ７０をマンドレル６０に巻き付ける。メインプリプレグ７０をマンドレル６０に巻き付けると、図４（ｂ）のようにマンドレル６０の第一の領域６１においてはメインプリプレグ７０が周回して一巻き状態となり、その幅方向両端部７０ａ同士が内外重ね合わせられて重ね合わせ部７３が形成される。その一方、マンドレル６０の第二の領域６２から第三の領域６３にかけては、徐々にメインプリプレグ７０の幅方向両端部７０ａ同士が周方向に離れていき、その離間距離も後側に向けて徐々に大きくなっていく。このように、マンドレル６０の第二の領域６２から第三の領域６３にかけては、メインプリプレグ７０によっては一周分巻回されず、全周のうちの一部は巻回されずに残った状態となり、巻回されずに残った残部領域である巻回不足部７２が形成されることになる。巻回不足部７２は、その幅が後側に向けて徐々に大きくなる形状である。尚、巻回不足部７２の周方向の長さは任意であってマンドレル６０の第一の領域６１と第三の領域６３との直径の比、即ち小径部３１と大径部３２との内径あるいは外径の比によっても変化するが、例えば、メインプリプレグ７０の後端部７０ｂにおいて、約半周分がメインプリプレグ７０によって巻回され、残る約半周分が巻回されずに残るようにすることができる。
【００２３】
そして、この巻回不足部７２をサブプリプレグ７１で補完する。即ち、図４（ｃ）のようにサブプリプレグ７１の後端部即ちその底辺７１ｂをメインプリプレグ７０の後端部７０ｂに合わせるようにすると共にその幅方向の中心をマンドレル６０の中心に合わせるようにする。サブプリプレグ７１の頂部７１ａがメインプリプレグ７０の重ね合わせ部７３に位置するようにサブプリプレグ７１をセットする。そして、巻回不足部７２を覆うようにしながらサブプリプレグ７１を巻回する。メインプリプレグ７０の幅方向両端部７０ａにサブプリプレグ７１の両斜辺７１ｃをそれぞれ沿わせるようにしつつ所定幅の重ね合わせ部７４を形成するようにしながらサブプリプレグ７１を巻回する。このようにして巻回不足部７２をサブプリプレグ７１によって補完することにより、図５のように全長に亘ってプリプレグが一周分巻回された筒状の層７５が形成される。
【００２４】
即ち、リアグリップ竿体３の本体層７８は、メインプリプレグ７０からなる主部７６とサブプリプレグ７１からなる補完部７７とから全長に亘って一周分の筒状とされた層７５を備えることになる。この本体層７８における一周分の筒状の層７５は、小径部３０においては、図６に示しているようにメインプリプレグ７０からなる主部７６のみから構成されていて、そのメインプリプレグ７０の幅方向両端部７０ａ同士が内外重ね合わせられた重ね合わせ部７３が一箇所存在している。尚、図６ではマンドレル６０の断面形状を示すハッチングについてはそれを省略しており、図７〜図９についても同様である。また、本体層７８における一周分の筒状の層７５は、急拡径部３１においては、図７に示しているように、メインプリプレグ７０からなる主部７６とサブプリプレグ７１からなる補完部７７とから構成され、全周のうちの主要部分をメインプリプレグ７０からなる主部７６が占め、残る角度領域がサブプリプレグ７１からなる補完部７７により構成される。急拡径部３１においては、メインプリプレグ７０の幅方向両端部７０ａの径方向外側にそれぞれサブプリプレグ７１の両斜辺７１ｃ（幅方向両端部）が重ね合わせられており、この重ね合わせ部７４は二箇所存在することになる。また、本体層７８における一周分の筒状の層７５は、大径部３２においては、図８に示しているように、メインプリプレグ７０からなる主部７６とサブプリプレグ７１からなる補完部７７とから構成され、全周のうちの約半周分がメインプリプレグ７０からなる主部７６により構成され、残る約半周分がサブプリプレグ７１からなる補完部７７により構成される。大径部３２においても急拡径部３１と同様に、メインプリプレグ７０の幅方向両端部７０ａの径方向外側にそれぞれサブプリプレグ７１の斜辺７１ｃが重ね合わせられており、この重ね合わせ部７４は略１８０度対向して二箇所存在することになる。
【００２５】
このようにメインプリプレグ７０からなる主部７６とサブプリプレグ７１からなる補完部７７とによって一周分の筒状とされた層７５を一層のみ形成して本体層７８を構成してもよいが、本実施形態では合計三層形成している。即ち、本体層７８を三層構造としている。そのため、図４に示したようなメインプリプレグ７０とサブプリプレグ７１の巻回工程を合計３回繰り返す。つまり、図５の状態からマンドレル６０をその軸線まわりに１２０度回転させて、図４及び図５の工程を行い、更にその後、マンドレル６０を再び１２０度同じ方向に回転させて、再度図４及び図５の工程を行う。つまり、位相を一方向に１２０度ずつずらせるようにしながら、主部７６と補完部７７とによって一周分の筒状とされた層７５を合計三層積層して三層構造の本体層７８とする。このようにして形成された本体層７８は、例えば小径部３０においては図９に示すようにメインプリプレグ７０の幅方向両端部７０ａ同士による重ね合わせ部７３が１２０度間隔で合計三箇所形成されている。
【００２６】
更に、上述したようにメインプリプレグ７０とサブプリプレグ７１の組を合計三組使用して三層構造の本体層７８を形成した後、その外側には図示しないテープ状のプリプレグを全長に亘って螺旋状に巻回して、本体層７８の外側に外層７９を形成する。即ち、本実施形態においてリアグリップ竿体３は本体層７８と外層７９とからなる。図９に外層７９を二点鎖線で示している。該テープ状のプリプレグはその長手方向に沿ってカーボン繊維等の強化繊維が引き揃えられたものであり、種々の厚さのものを使用できる。尚、テープ状のプリプレグは密巻に巻回することが好ましい。密巻とは隙間を空けない巻き状態であって且つオーバーラップすることがない状態で巻き付けていくことであり、この密巻によって外層７９が隙間なく一定厚さで形成される。その後、図示しない成形テープを巻き付けて締め付ける。該成形テープは所定幅の重なり部分を持たせながら竿軸方向の一方側から他方側に向けて螺旋状に巻回していく。そして加熱焼成した後、成形テープを除去してマンドレル６０を引き抜く。
【００２７】
このようにして形成されるリアグリップ竿体３にあっては、メインプリプレグ７０からなる主部７６とサブプリプレグ７１からなる補完部７７とから一周分の筒状の層７５を形成しているので、一枚のプリプレグの巻回によって小径部３０から大径部３２まで形成する構成に比して、急拡径部３１等においてプリプレグにシワが発生しにくくなり、熟練度が高くなくても容易に製造することができる。また、メインプリプレグ７０を先に巻回して巻回不足部７２を形成したうえでその巻回不足部７２にサブプリプレグ７１を巻回して補完部７７を形成するようにしているので、サブプリプレグ７１を先に巻回する場合、即ち、補完部７７が主部７６の内側に位置する構成に比して、サブプリプレグ７１をメインプリプレグ７０に対して正確に位置させることが容易である。
【００２８】
また、主部７６と補完部７７とからなる一周分の筒状の層７５が合計三層形成されて三層構造の本体層７８とされているので、メインプリプレグ７０やサブプリプレグ７１に薄いプリプレグを使用することができ、シワの発生をより一層軽減することができる。更に、各層７５間の位相が周方向に１２０度ずつずれるようにして積層されているので、メインプリプレグ７０の幅方向両端部７０ａ同士の重ね合わせ部７３やメインプリプレグ７０とサブプリプレグ７１との重ね合わせ部７４が層７５間で１２０度ずつ周方向に位置ずれして形成されることになり、リアグリップ竿体３の肉厚をより一層均一化することができる。
【００２９】
更に、メインプリプレグ７０を長方形とし、サブプリプレグ７１を二等辺三角形としているので、マンドレル６０の中心にメインプリプレグ７０やサブプリプレグ７１を容易に位置させることができ、製造がより一層容易になるうえに、プリプレグの裁断ロスも少なくなる。また、縦シート８０と横シート８１が予め積層されて一体化した積層シート８３をメインプリプレグ７０やサブプリプレグ７１に使用しているので、本体層７８を構成する各層７５が一周分の巻き数であっても、リアグリップ竿体３の強度を容易に確保することができる。
【００３０】
尚、本実施形態では本体層７８を三層構造としたが、二層構造としてもよく、二層構造とする場合には１８０ずつ位相をずらすことが好ましい。また、四層以上や単層としてもよい。
【００３１】
また、本体層７８の全長を主部７６と補完部７７によって形成したが、本体層７８の全長のうち少なくとも急拡径部３１を含む所定長さ領域を主部７６と補完部７７とによって形成すればよく、例えば、本体層７８の全長のうち急拡径部３１を含む所定長さ領域のみを主部７６と補完部７７とによって形成し、本体層７８のそれ以外の端部所定領域については別途一枚のプリプレグから形成してもよい。但し、本体層７８の全長即ちリアグリップ竿体３の全長に亘って主部７６と補完部７７とによって形成することにより容易に製造することができるうえに強度も容易に確保できる。
【００３２】
更に、メインプリプレグ７０を長方形とし、サブプリプレグ７１を二等辺三角形としたが、例えばメインプリプレグ７０を竿軸方向に長く後側に向かって徐々に幅広となる台形としてもよく、また、サブプリプレグ７１も後側に向かって徐々に幅広となる台形としてもよい。
【００３３】
また更に、小径部３０と大径部３２の勾配を何れも０としたが、小径部３０や大径部３２の勾配を０ではなく緩い勾配として、後側に向けて徐々に拡径する形状としてもよい。
【００３４】
また、上記実施形態ではリアグリップ竿体３に適用した場合について説明したが、リアグリップ竿体３には限られず、各種の竿体に使用することができる。また、リールを装着する釣竿について説明したが、のべ竿等のようにリールを装着しないタイプの釣竿であってもよい。
【００３５】
尚、本体層７８の内側に内層を形成してもよく、その内層も外層７９と同様にテープ状のプリプレグを螺旋状に巻回することにより形成できる。また、マンドレル６０にメインプリプレグ７０やサブプリプレグ７１を巻回して中空状の竿体とする以外に、ソリッド体の外側に本体層７８を形成して中実状の竿体としてもよい。
【符号の説明】
【００３６】
１    リールシート
２    竿本体
３    リアグリップ竿体
４    重ね合わせ部
５    リアグリップ部
７    フロントグリップ部
１０    リールシート本体
１１    可動フード体
１２    ナット
１３    リール脚載置部
１４    固定フード部
１５    雄ねじ部
３０    小径部
３１    急拡径部
３２    大径部
３３    尻栓
６０    マンドレル
６１    第一の領域
６２    第二の領域
６３    第三の領域
７０    メインプリプレグ
７０ａ  幅方向の端部
７０ｂ  後端部
７１    サブプリプレグ
７１ａ  頂部
７１ｂ  底辺
７１ｃ  斜辺
７２    巻回不足部
７３    重ね合わせ部
７４    重ね合わせ部
７５    筒状の層
７６    主部
７７    補完部
７８    本体層
７９    外層
８１    縦シート
８２    横シート
８３    積層シート
１００    リールの脚部
【図１】
2014124108.tif 000003
【図２】
2014124108.tif 000004
【図３】
2014124108.tif 000005
【図４】
2014124108.tif 000006
【図５】
2014124108.tif 000007
【図６】
2014124108.tif 000008
【図７】
2014124108.tif 000009
【図８】
2014124108.tif 000010
【図９】
2014124108.tif 000011
【図１０】
2014124108.tif 000012